(57)【要約】      （修正有）【課題】カードエッジ挿入長孔がソケット取り付け面に対して平行する方向を向いた構造のもので、カードエッジ挿入長孔を揺動自在にできるコネクタソケットを得る。【解決手段】取り付け面１ａを有する固定コネクタハウジング２に揺動コネクタハウジング３を取り付け面１ａに対して直交する方向に揺動するように組み込む。揺動コネクタハウジング３のカードエッジ挿入長孔４に一端側の接触部５ａ，６ａを臨ませてコンタクト５，６を組み込む。カードエッジ挿入長孔４のカードエッジ挿入方向を取り付け面１ａに対して平行する方向とする。コンタクト５，６の反対側の端子部分５ｂ，６ｂを固定コネクタハウジング２に固定する。揺動コネクタハウジング３と固定コネクタハウジング２との間の空間８におけるコンタクト５，６の部分を、揺動コネクタハウジング３が取り付け面１ａに対して直交する方向に揺動可能になるように屈曲部５ｃ，６ｃとする。【選択図】図１
2007165129.tif 000002
【特許請求の範囲】
【請求項１】
取り付け面で取り付け相手に取り付けられる固定コネクタハウジングと、該固定コネクタハウジングに組み込まれて該固定コネクタハウジングの前記取り付け面に対して直交する方向に揺動する揺動コネクタハウジングと、該揺動コネクタハウジングのカードエッジ挿入長孔に一端側の接触部を臨ませて該揺動コネクタハウジングに組み込まれたコンタクトとを備え、前記カードエッジ挿入長孔のカードエッジ挿入方向が前記取り付け面に対して平行する方向を向いており、前記コンタクトの反対側の端子部分が前記固定コネクタハウジングに固定され、前記揺動コネクタハウジングと前記固定コネクタハウジングとの間の空間における前記コンタクトの部分が該揺動コネクタハウジングが前記固定コネクタハウジングの前記取り付け面に対して直交する方向に揺動可能になるように屈曲された屈曲部となっていることを特徴とするフローティングコネクタソケット。
【請求項２】
前記コンタクトはその接触部が前記カードエッジ挿入長孔の幅方向に対向する向きで２列に前記固定コネクタハウジングと前記揺動コネクタハウジングとに組み込まれていることを特徴とする請求項１に記載のフローティングコネクタソケット。
【発明の詳細な説明】
【技術分野】
【０００１】
本発明は、カードエッジプラグの挿入時にカードエッジ挿入長孔が揺動してカードエッジプラグの挿入を可能にするフローティングコネクタソケットに関するものである。
【背景技術】
【０００２】
従来のこの種のコネクタソケットとして、該コネクタソケットの取り付け面に対してそのカードエッジ挿入長孔のカードエッジ挿入方向が前記取り付け面に対して平行する方向を向いた構造のものがある（例えば、特許文献１参照。）。
【特許文献１】特開２００４−２１３９１８号公報
【発明の開示】
【発明が解決しようとする課題】
【０００３】
しかしながら、このようなコネクタソケットでは、このコネクタソケットがプリント基板に固定されたものが例えば２組あって、相互のコネクタソケットを中継プリント基板の両端のカードエッジプラグで接続する場合には、中継プリント基板がフレキシブルプリント基板であってその両端にカードエッジプラグが設けられている構造のものは、フレキシブルプリント基板の柔軟性により位置合わせができて両方のカードエッジプラグを接続相手のコネクタソケットのカードエッジ挿入長孔に容易に挿入できるが、中継プリント基板として安価なハード構造のプリント基板でその両端にカードエッジプラグが設けられている構造のものは、各コネクタソケットの位置が適正な位置でないと、一方のコネクタソケットのカードエッジ挿入長孔に挿入することができても、他方のコネクタソケットのカードエッジ挿入長孔に挿入することができない問題点があった。
【０００４】
本発明の目的は、カードエッジ挿入長孔のカードエッジ挿入方向がソケット取り付け面に対して平行する方向を向いた構造のもので、カードエッジ挿入長孔を揺動自在にすることができるコネクタソケットを提供することにある。
【０００５】
本発明の他の目的は、両面に端子導体が存在するカードエッジプラグに対応できるコネクタソケットを提供することにある。
【課題を解決するための手段】
【０００６】
上記の目的を達成する本発明の構成を説明すると、次のとおりである。
【０００７】
本発明に係るフローティングコネクタソケットは、取り付け面で取り付け相手に取り付けられる固定コネクタハウジングと、該固定コネクタハウジングに組み込まれて該固定コネクタハウジングの前記取り付け面に対して直交する方向に揺動する揺動コネクタハウジングと、該揺動コネクタハウジングのカードエッジ挿入長孔に一端側の接触部を臨ませて該揺動コネクタハウジングに組み込まれたコンタクトとを備え、前記カードエッジ挿入長孔のカードエッジ挿入方向が前記取り付け面に対して平行する方向を向いており、前記コンタクトの反対側の端子部分が前記固定コネクタハウジングに固定され、前記揺動コネクタハウジングと前記固定コネクタハウジングとの間の空間における前記コンタクトの部分が該揺動コネクタハウジングが前記固定コネクタハウジングの前記取り付け面に対して直交する方向に揺動可能になるように屈曲された屈曲部となっていることを特徴とする。
【０００８】
この場合、前記コンタクトはその接触部が前記カードエッジ挿入長孔の幅方向に対向する向きで２列に前記固定コネクタハウジングと前記揺動コネクタハウジングとに組み込まれている構造にすることもできる。
【発明の効果】
【０００９】
本発明に係るフローティングコネクタソケットでは、カードエッジ挿入長孔のカードエッジ挿入方向が取り付け面に対して平行する方向を向いた揺動コネクタハウジングが、コンタクトの屈曲部により固定コネクタハウジングの取り付け面に対して直交する方向に揺動可能になっているので、カードエッジ挿入長孔のカードエッジ挿入方向がソケット取り付け面に対して平行する方向を向いた構造のもので、カードエッジ挿入長孔を揺動自在にすることができる。また、コンタクトによって固定コネクタハウジングと揺動コネクタハウジングとの相互支持と、揺動コネクタハウジングの揺動とを行わせるようになっているので、部品点数が少なくなり、コストを低減することができる。
【００１０】
このようなフローティングコネクタソケットで、コンタクトの接触部がカードエッジ挿入長孔の幅方向に対向する向きで２列に固定コネクタハウジングと揺動コネクタハウジングとに組み込まれていると、両面に端子導体が存在するカードエッジプラグにこのフローティングコネクタソケットを対応させることができる。
【発明を実施するための最良の形態】
【００１１】
以下、本発明に係るフローティングコネクタソケットを実施するための最良の形態を図面を参照して詳細に説明する。
【００１２】
図１（Ａ）（Ｂ）（Ｃ）（Ｄ）は本発明に係るフローティングコネクタソケットの第１例を示した正面図、平面図、左側面図及び正面図のＡ−Ａ線断面図、図２（Ａ）（Ｂ）（Ｃ）は本例で用いている固定コネクタハウジングの正面図、平面図、該平面図のＢ−Ｂ線断面図、図３（Ａ）（Ｂ）（Ｃ）は本例で用いている揺動コネクタハウジングの正面図、平面図、該平面図のＣ−Ｃ線断面図、図４（Ａ）（Ｂ）は本例で用いている第１のコンタクトの正面図及び平面図、図５（Ａ）（Ｂ）は本例で用いている第２のコンタクトの正面図及び平面図、図６（Ａ）（Ｂ）（Ｃ）は本例で用いている抜け止め部材の正面図、平面図、該正面図の右側面図、図７（Ａ）（Ｂ）は本例のフローティングコネクタソケットに接続する中継プリント基板とその端部に設けられたカードエッジプラグの正面図及び側面図である。
【００１３】
図１（Ａ）（Ｂ）（Ｃ）（Ｄ）に示すように、本例のフローティングコネクタソケット１は、コ字状の固定コネクタハウジング２と、該固定コネクタハウジング２内に組み込まれて該固定コネクタハウジング２に対して上下方向に揺動する揺動コネクタハウジング３と、該揺動コネクタハウジング３のカードエッジ挿入長孔４の幅方向の両側に一端側の接触部５ａ，６ａをそれぞれ臨ませて該揺動コネクタハウジング３に組み込まれた２列の第１，第２のコンタクト５，６と、揺動コネクタハウジング３が固定コネクタハウジング２から抜け出さないように保持する抜け止め部材７とを備え、各コンタクト５，６の反対側の端子部分５ｂ，６ｂが固定コネクタハウジング２に固定され、揺動コネクタハウジング３と固定コネクタハウジング２との間の空間８における第１，第２のコンタクト５，６の部分が該揺動コネクタハウジング３が揺動可能になるようにそれぞれ屈曲された屈曲部５ｃ，６ｃとなっている。このようなフローティングコネクタソケット１は、カードエッジ挿入長孔４のカードエッジ挿入方向が該ソケット１の取り付け面１ａに対して平行する方向を向いている。
【００１４】
これら構成部材の具体的構成を、以下に説明する。
【００１５】
図２（Ａ）（Ｂ）（Ｃ）に示すように、固定コネクタハウジング２は、合成樹脂等の絶縁体よりなり長方形状をした底部２ａの長手方向の両端に起立部２ｂが設けられ、底部２ａの表面にはその幅方向に向いた係止溝２ｃがその長手方向に所定間隔で併設され、各起立部２ｂの上部には底部２ａの長手方向に横切って凹部２ｄがそれぞれ設けられ、各起立部２ｂの上部には各凹部２ｄを横切って係合溝２ｅがそれぞれ設けられている。各係止溝２ｃは底部２ａの幅方向に切り離して設けられている。
【００１６】
図３（Ａ）（Ｂ）（Ｃ）に示すように、揺動コネクタハウジング３は、合成樹脂等の絶縁体よりなり直方体をしたハウジングボデイ３ａの横向きになった正面にカードエッジ挿入長孔４が横向きに所定の長さで末端の手前まで設けられ、このカードエッジ挿入長孔４に一部を開口させてこのカードエッジ挿入長孔４の幅方向の両側に、該カードエッジ挿入長孔４の長手方向に所定間隔でコンタクト挿入溝３ｂ，３ｃが設けられ、各コンタクト挿入溝３ｂ，３ｃの一部にはコンタクト係止溝３ｄ，３ｅが設けられ、ハウジングボデイ３ａの長手方向の両端には断面四角形の軸部３ｆがそれぞれ突設され、且つ上下対になったコンタクト挿入溝３ｂ，３ｃの隣の対の間には仕切り板突起３ｇが突設されている。
【００１７】
図４に示すように、第１のコンタクト５の一端側は折り返されて接触部５ａとなっており、他端側は端子部分５ｂとなっており、該端子部分５ｂに隣接した部分はＵ字状に折り返して屈曲部５ｃとなっており、接触部５ａと屈曲部５ｃとの間の部分はコ字状の折り曲げ部５ｄとなっており、接触部５ａと折り曲げ部５ｄとの間の部分には複数の突起群からなる係止部５ｅが設けられ、屈曲部５ｃの一部には複数の突起群からなる係止部５ｆが設けられている。
【００１８】
図５に示すように、第２のコンタクト６の一端側は折り返されて接触部６ａとなっており、他端側は端子部分６ｂとなっており、接触部６ａと端子部分６ｂとの間の部分はＵ字状に折り返して屈曲部６ｃとなっており、接触部６ａに隣接した部分には複数の突起群からなる係止部６ｄが設けられ、屈曲部６ｃに隣接した部分には複数の突起群からなる係止部６ｅが設けられている。
【００１９】
図６に示すように、抜け止め部材７は金属製の板で形成され、その基部７ａの一端は直角に折り曲げられて押さえ部７ｂとなっており、他端は逆方向に直角に折り曲げられて固定部７ｃとなっている。
【００２０】
次に、本例のフローティングコネクタソケット１の組み立て方について説明する。固定コネクタハウジング２の各起立部２ｂの上部の各凹部２ｄに、揺動コネクタハウジング３の両端の各軸部３ｆがそれぞれ嵌め込んで支持させる。各起立部２ｂの各係合溝２ｅに抜け止め部材７の基部７ａを挿入し、それぞれの一端の押さえ部７ｂで各軸部３ｆを押さえて抜け止めし、他端の固定部７ｃをフローティングコネクタソケット１の取り付け面１ａに一致する状態にする。
【００２１】
かかる状態で、揺動コネクタハウジング３のコンタクト挿入溝３ｂに第１のコンタクト５の一端側の接触部５ａを挿入し、屈曲部５ｃを揺動コネクタハウジング３の底部と固定コネクタハウジング２の底部２ａとの間の空間８に挿入する。この状態で第１のコンタクト５の係止部５ｅを揺動コネクタハウジング３のコンタクト係止溝３ｄに圧入し、第１のコンタクト５の係止部５ｆをコネクタハウジング２の係止溝２ｃに圧入する。
【００２２】
また、揺動コネクタハウジング３のコンタクト挿入溝３ｃに第２のコンタクト６の一端側の接触部６ａを挿入し、屈曲部６ｃを揺動コネクタハウジング３の底部と固定コネクタハウジング２の底部２ａとの間の空間８に挿入する。この状態で第２のコンタクト６の係止部６ｄを揺動コネクタハウジング３のコンタクト係止溝３ｅに圧入し、第２のコンタクト６の係止部６ｅをコネクタハウジング２の係止溝２ｃに圧入する。
【００２３】
図７（Ａ）（Ｂ）は前述したフローティングコネクタソケット１のカードエッジ挿入長孔４に挿入する中継プリント基板９の一例を示した正面図及び側面図である。本例では中継プリント基板９として、ハード構造の中継ハードプリント基板が用いられている。本例のハード構造の中継ハードプリント基板９は、エポキシ基板等でハード構造になっているハード基板９ａの両面に、それぞれ複数本の導体層が併設され、それぞれの表面が絶縁層９ｂで覆われた両面プリント基板になっている。このようなハード構造の中継ハードプリント基板９の両端は、カードエッジプラグ１０となっている。本例のカードエッジプラグ１０は、中継ハードプリント基板９の両端のハード基板９ａの両面の各導体層に接続して固定コンタクト１０ａ，１０ｂが露出させて設けられた構造になっている。
【００２４】
次に、本例のフローティングコネクタソケット１の使用例を図８を参照して説明する。
【００２５】
同一平面上に左右に分かれて配置されたプリント基板１１と別のプリント基板１２とにフローティングコネクタソケット１をその取り付け面１ａを当ててそれぞれ接続する。この状態で、フローティングコネクタソケット１のカードエッジ挿入長孔４は各プリント基板１１，１２の板面に平行する向きになっている。
【００２６】
一方のフローティングコネクタソケット１のカードエッジ挿入長孔４に、ハード構造の中継ハードプリント基板９の一方のカードエッジプラグ１０を挿入して、カードエッジ挿入長孔４の幅方向の両側の第１，第２のコンタクト５，６の接触部５ａ，６ａでカードエッジプラグ１０の固定コンタクト１０ａ，１０ｂを挟持させて電気的に接続する。次に他方のフローティングコネクタソケット１のカードエッジ挿入長孔４に、ハード構造の中継ハードプリント基板９の他方のカードエッジプラグ１０を挿入する。このときカードエッジプラグ１０がカードエッジ挿入長孔４に上下にずれて合致しない時には、挿入の過程で揺動コネクタハウジング３が上下に揺動してカードエッジプラグ１０がカードエッジ挿入長孔４に挿入でき、カードエッジ挿入長孔４の幅方向の両側の第１，第２のコンタクト５，６の接触部５ａ，６ａでカードエッジプラグ１０の固定コンタクト１０ａ，１０ｂを挟持されて電気的に接続する。
【００２７】
図９（Ａ）（Ｂ）（Ｃ）（Ｄ）は本発明に係るフローティングコネクタソケットの第２例を示した正面図、平面図、左側面図及び正面図のＤ−Ｄ線断面図である。なお、前出した図１（Ａ）〜（Ｄ）と対応する部分には同一符号を付けて示している。
【００２８】
本例のフローティングコネクタソケット１では、コ字状の固定コネクタハウジング２と、該固定コネクタハウジング２内に組み込まれて該固定コネクタハウジング２に対して上下方向に揺動する揺動コネクタハウジング３と、該揺動コネクタハウジング３のカードエッジ挿入長孔４の幅方向の片側に一端側の接触部６ａをそれぞれ臨ませて該揺動コネクタハウジング３に組み込まれた１列のコンタクト６と、揺動コネクタハウジング３が固定コネクタハウジング２から抜け出さないように保持する抜け止め部材７とを備え、各コンタクト６の反対側の端子部分６ｂが固定コネクタハウジング２に固定され、揺動コネクタハウジング３と固定コネクタハウジング２との間の空間８におけるコンタクト６の部分が該揺動コネクタハウジング３が揺動可能になるようにそれぞれ屈曲された屈曲部６ｃとなっている。このようなフローティングコネクタソケット１も、カードエッジ挿入長孔４のカードエッジ挿入方向が該ソケット１の取り付け面１ａに対して平行する方向を向いている。揺動コネクタハウジング３はハウジングボデイ３ａにカードエッジ挿入長孔４の他に１つのコンタクト挿入溝３ｃが設けられた構造になっている。その他の構成は、前述した図１（Ａ）（Ｂ）（Ｃ）（Ｄ）と同様になっている。
【００２９】
このようなフローティングコネクタソケット１で、コンタクト６の接触部６ａがカードエッジ挿入長孔４の幅方向の片側に１列に固定コネクタハウジング２と揺動コネクタハウジング３とに組み込まれているので、片面に端子導体が存在するカードエッジプラグ１０をこのフローティングコネクタソケット１に対応させることができる。
【図面の簡単な説明】
【００３０】
【図１】（Ａ）（Ｂ）（Ｃ）（Ｄ）は本発明に係るフローティングコネクタソケットの第１例を示した正面図、平面図、左側面図及び正面図のＡ−Ａ線断面図である。
【図２】（Ａ）（Ｂ）（Ｃ）は第１例で用いている固定コネクタハウジングの正面図、平面図、該平面図のＢ−Ｂ線断面図である。
【図３】（Ａ）（Ｂ）（Ｃ）は第１例で用いている揺動コネクタハウジングの正面図、平面図、該平面図のＣ−Ｃ線断面図である。
【図４】（Ａ）（Ｂ）は第１例で用いている第１のコンタクトの正面図及び平面図である。
【図５】（Ａ）（Ｂ）は第１例で用いている第２のコンタクトの正面図及び平面図である。
【図６】（Ａ）（Ｂ）（Ｃ）は第１例で用いている抜け止め部材の正面図、平面図、該正面図の右側面図である。
【図７】（Ａ）（Ｂ）は第１例のフローティングコネクタソケットに接続する中継プリント基板とその端部に設けられたカードエッジプラグの正面図及び側面図である。
【図８】第１例のフローティングコネクタソケットの使用例の説明図である。
【図９】（Ａ）（Ｂ）（Ｃ）（Ｄ）は本発明に係るフローティングコネクタソケットの第２例を示した正面図、平面図、左側面図及び正面図のＤ−Ｄ線断面図である。
【符号の説明】
【００３１】
１  フローティングコネクタソケット
１ａ  取り付け面
２  固定コネクタハウジング
２ａ  底部
２ｂ  起立部
２ｃ  係止溝
２ｄ  凹部
２ｅ  係合溝
３  揺動コネクタハウジング
３ａ  ハウジングボデイ
３ｂ，３ｃ  コンタクト挿入溝
３ｄ，３ｅ  コンタクト係止溝
３ｆ  軸部
３ｇ  仕切り板突起
４  カードエッジ挿入長孔
５，６第１，第２のコンタクト
５ａ，６ａ  接触部
５ｂ，６ｂ  端子部分
５ｃ，６ｃ  屈曲部
７  抜け止め部材
８  空間
９  ハード構造の中継ハードプリント基板
１０  カードエッジプラグ
１０ａ，１０ｂ  固定コンタクト
１１  プリント基板
１２  プリント基板
【図１】
2007165129.tif 000003
【図２】
2007165129.tif 000004
【図３】
2007165129.tif 000005
【図４】
2007165129.tif 000006
【図５】
2007165129.tif 000007
【図６】
2007165129.tif 000008
【図７】
2007165129.tif 000009
【図８】
2007165129.tif 000010
【図９】
2007165129.tif 000011